(57)【要約】【課題】簡素且つ小型の構成により、適量の粒状体の送出しを容易且つ確実に可能とする粒状体送出し器の提供。【解決手段】粒状体送出し器は、粒状体集合物を掬い取る湾曲状掬い部１２の周縁１２ａから外方へ延在する柄部１４を備えたスプーン１０と、湾曲状掬い部１２に対し周縁１２ａを含む面Ｐ内の円振動Ｂ２を加えて粒状体が湾曲状掬い部１２内で回流するべく柄部１４に装着可能な円振動発生ユニット２０とを有する。円振動発生ユニット２０は、柄部１４を挿入固定可能な装着穴２２ａを持つ発泡ウレタンゴム製などの外囲器２２と、この外囲器２２に内蔵された扁平形（コイン形）振動モータ２４，押しボタンスイッチ２６及び２個のボタン形電池２８とを有する。【選択図】      図１
2009213612.tif 000002
【特許請求の範囲】
【請求項１】
粒状体集合物を掬い取る湾曲状掬い器の周縁から外方へ延在する柄部を備えた掬い取り具と、前記湾曲状掬い器に対し前記周縁を含む面内の円振動を加えて前記粒状体が前記湾曲状掬い器内で回流するべく前記柄部に装着可能な円振動発生器とを有することを特徴とする粒状体送出し器。
【請求項２】
請求項１に記載の粒状体送出し器において、前記円振動発生器は前記柄部を挿入固定可能な装着穴を有して成ることを特徴とする粒状体送出し器。
【請求項３】
請求項２に記載の粒状体送出し器において、前記円振動発生器は、回転中心の周りに回転する偏心錘を内蔵し、前記装着穴は前記偏心錘の回転軌跡面に実質的に平行に配向していることを特徴とする粒状体送出し器。
【請求項４】
請求項１乃至請求項３のいずれか一項に記載の粒状体送出し器において、前記装着穴はスポンジ材製の外囲器に形成されていることを特徴とする粒状体送出し器。
【請求項５】
請求項１乃至請求項４のいずれか一項に記載の粒状体送出し器において、前記回転振動発生器はバッテリーと押しボタンスイッチにより起動・停止する扁平形振動モータとを内蔵して成ることを特徴とする粒状体送出し器。
【請求項６】
請求項１乃至請求項５のいずれか一項に記載の粒状体送出し器において、前記掬い取り具はスプーンであることを特徴とする粒状体送出し器。
【発明の詳細な説明】
【技術分野】
【０００１】
本発明は、例えば塩，砂糖などの粒状体の送出し量調節が容易な粒状体送出し器に関する。
【背景技術】
【０００２】
塩や化学調味料などの瓶詰め調味料を瓶から振るい出す操作においては、一般的には瓶を振って穴開きキャップから調理料を出すものであるが、その振り方次第では調味料が適量以上に出てしまう場合が多々あり、微妙な味加減に失敗することがある。また、瓶の中に調味料が無くなった場合は穴開きキャップを外しては調味料を補充する手間を余儀なくされる。
【０００３】
一方、調味料入れなどからスプーンを用いて調味料集合体を掬い取り、スプーンを傾けたり揺すったりしながら湾曲状掬い部の周縁から粒状体を落として粒状体量を調節するのも一般的であるが、粒状体の塊が一気に落ちてしまうこともあり、適量調節が困難な事もある。
【０００４】
粒状体や粉体を送り出す装置としては、例えば、特開２００１−１３９１２８において、ホッパから粉体が供給される管と、この管を長手方向に加振して供給される粉体を一端から送り出す加振器とを有する粉体供給用フィーダが知られている。
【特許文献１】特開２００１−１３９１２８（図１）
【発明の開示】
【発明が解決しようとする課題】
【０００５】
しかしながら、上記の粉体供給用フィーダの構成は大掛かりな構成であるため、家庭用の調理などには不向きであり、粉体供給用フィーダ内に残った未使用粉体を粉袋などに戻した後、粉体供給用フィーダの清掃や後片付けが必要となる。また、塩などは湿気を含んで小塊として存在することがあるため、管に長手方向の往復振動を加振すると、塩の小塊が送り出されてしまい、やはり適量調節が難しい。
【０００６】
そこで上記問題点に鑑み、本発明の課題は、簡素且つ小型な構成でありながら、適量の粒状体（粉体も含む）の送出しを容易且つ確実に可能とする粒状体送出し器を提供することにある。
【課題を解決するための手段】
【０００７】
上記課題を解決するために、本発明に係る粒状体送出し器は、粒状体集合物を掬い取る湾曲状掬い器の周縁から外方へ延在する柄部を備えた掬い取り具と、湾曲状掬い部に対し周縁を含む面内の円振動を加えて粒状体が湾曲状掬い器内で回流するべく柄部に装着可能な円振動発生器とを有することを特徴とする。なお、本願では「粒状体」とは粉体も含む意味で用いる。
【０００８】
この粒状体送出し器においては、湾曲状掬い器に加わる円振動により粒状体が湾曲状掬い器内で回流し、特に湾曲状掬い器の周縁側での回流が顕著であることから、湾曲状掬い器の傾け加減によって回流する外周側の粒状体を周縁の一所から一筋状に徐々に流れ落とすことができるので、粒状体の集合が一気に落ちてしまう危険を排除でき、適量の送出しが容易且つ確実になる。湾曲状掬い器内に粒状体の小塊がある場合でも、円振動によってそれを解す作用も加わり、しかも小塊は周縁から落ち難く、粒状体の一粒毎の繰出しが優勢化する。また、湾曲状掬い器に残る未送出の粒状体は掬い取り具と共に収納箱などに戻すだけで済み、後片付けの手間を省くことができる。更に、この粒状体送出し器は既製のスプーンなどの柄部に円振動発生器を装着したものとすることができるため、簡素且つ小型な構成であり、低コスト化を図ることができる。
【０００９】
装着態様は種々の形態が可能であるが、円振動発生器は柄部を挿入固定可能な装着穴を有して成ることが好ましい。装着穴に柄部を差し込むだけで装着できるからである。
【００１０】
円転振動発生器は回転中心の周りに回転する偏心錘を内蔵し、装着穴は偏心錘の回転軌跡面に実質的に平行に配向していることが好ましい。湾曲状掬い器と柄部との傾斜角度が大きいと、円振動発生器で発生する真円振動が湾曲状掬い器では歪んで楕円振動となり、粒状体の回流が偏在又は鈍化してしまうが、柄部が見えない偏心錘の回転軌跡面と実質的に整合した目印となっているので、使用者に柄部と湾曲状掬い器との傾斜角度が緩いスプーンなどの使用を促すことができる。
【００１１】
この装着穴は発泡ウレタンゴム等のスポンジ材製の外囲器に形成されていることが好ましい。柄部の太さや形状が様々でも装着穴に挿入でき、既製スプーンの広範な使用が可能となる。
【００１２】
振動発生器は、バッテリーと、押しボタンスイッチにより起動・停止する扁平形振動モータとを内蔵して成る構成を採用できる。柄部を片手で把持したまま、親指などで押しボタン操作をすることができ、円振動発生器の小型化・低コスト化・軽量化を図ることができ、小スプーンなどへの装着が可能となる。
【発明を実施するための最良の形態】
【００１３】
次の本発明の実施例を添付図面に基づいて説明する。図１（Ａ）は本発明の実施例に係る粒状体送出し器を示す斜視図、図１（Ｂ）はその断面図、図２（Ａ）は同粒状体送出し器に用いる回転振動発生器の断面図、図２（Ｂ）は同粒状体送出し器の使用態様を示す斜視図、図３は同回転振動発生器における回転振動とスプーンの掬い部における回転振動の関係を示す概略図である。
【００１４】
本例の粒状体送出し器はスプーン１０と円振動発生ユニット２０とから成る。このスプーン１０は各家庭に備わる既製品で十分であり、粒状体集合物を掬い取る湾曲状掬い部１２と、その周縁１２ａから外方へ延在する板状の柄部１４とを有する。円振動発生ユニット２０は、湾曲状掬い部１２に対し周縁１２ａを含む面内の円振動を加えて粒状体が湾曲状掬い部１２内で回流するべく柄部１４に装着したもので、柄部１４を挿入固定可能な装着穴２２ａを持つ発泡ウレタンゴム製などの外囲器２２と、この外囲器２２に内蔵された扁平形（コイン形）振動モータ２４，押しボタンスイッチ２６及び２個のボタン形電池２８とを有する。
【００１５】
扁平形振動モータ２４は直径１ｃｍ弱で厚さ数ミリのもので、その中に回転中心の周りに回転する偏心錘を内蔵しており、偏心錘が回転軌跡を描いて真円振動を発生する。この扁平形振動モータ２４は偏心錘の回転軌跡が装着穴２２ａと平行となるよう配置されている。扁平形振動モータ２４と押しボタンスイッチ２６は装着穴２２ａの上側に配置され、２個のボタン形電池２８は装着穴２２ａの下側に配置されており、ボタンスイッチ２６も外囲器材で覆われている。
【００１６】
次に、この粒状体送出し器の使用形態を説明する。柄部１４又は円振動発生ユニット２０を把持して例えば塩入れから塩粒集合体を湾曲状掬い部１２で掬い取り、この湾曲状掬い部１２を調理対象の上にかざし、指頭で押しボタンスイッチ２６を押圧すると、起動する扁平形振動モータ２４で発生した真円振動（図３中のＢ１）が柄部１４を介して湾曲状掬い部１２に伝達し、湾曲状掬い部１２に対し周縁１２ａを含む面Ｐの円振動（図３中のＢ２）が起こり、図２（Ｂ）に示す如く、塩粒Ｓが湾曲状掬い部１２内で回流し、特に湾曲状掬い部１２の周縁１２ａ側での塩粒Ｓの回流が顕著である。そして、湾曲状掬い部１２を傾けると、回流する外周側の塩粒Ｓが周縁１２ａの一所から一筋状に徐々に流れ落ちる。このため、塩粒Ｓの集合が一気に落ちてしまう危険を排除でき、適量の繰出しが容易且つ確実になる。湾曲状掬い部１２内に塩粒Ｓの小塊が混じる場合でも、円振動によってそれを解す作用も加わり、しかも小塊は周縁１２ａから落ち難く、塩粒Ｓの一粒毎の繰出しが優勢化する。また、湾曲状掬い部１２に残る未送出の塩粒Ｓはスプーン１０と共に塩入れなどに戻すだけで済み、後片付けの手間を省くことができる。更に、この粒状体送出し器は既製のスプーンなどの柄部１４に円振動発生ユニット２０を装着したものとすることができるため、簡素且つ小型な構成であり、低コスト化を図ることができる。そして、押しボタンスイッチ２６から指を離す場合やスプーン１０の傾け姿勢を戻す場合は、塩粒Ｓの流れ落ちを止めることができる。
【００１７】
図３に破線で示す如く、柄部１４の湾曲状掬い部１２に対する傾斜角度αが大きいと、円振動発生ユニット２０で発生する真円振動Ｂ１が湾曲状掬い部１２の周縁１２ａを含む面Ｐでは歪んで楕円振動ｂ２となり、塩粒Ｓの回流が偏在又は鈍化してしまうが、装着穴２２ａが偏心錘の回転軌跡面に実質的に平行に配向しているため、柄部１４が見えない偏心錘の回転軌跡面と実質的に整合した目印となっているので、使用者に柄部１４と湾曲状掬い部１２との傾斜角度αが緩いスプーン１０の使用を促すことができる。
【００１８】
装着穴２２ａは発泡ウレタンゴム等の外囲器２２に形成されているため、柄部１４の太さや形状が様々でも装着穴２２ａに挿入でき、既製スプーン１０の広範な使用が可能となる。
【００１９】
なお、本例の粒状体送出し器では、湾曲状掬い部１２の周縁１２ａの一所から粒状体を筋状に流れ落とすことができるため、例えば、菓子などに粉砂糖やココア粉などで文字や図形などを手軽に描くこともできる。また、円振動発生ユニット２０は調理用篩などに装着しても良い。
【図面の簡単な説明】
【００２０】
【図１】（Ａ）は本発明の実施例に係る粒状体送出し器を示す斜視図、（Ｂ）はその断面図である。
【図２】（Ａ）は同粒状体送出し器に用いる回転振動発生器の断面図、（Ｂ）は同粒状体送出し器の使用態様を示す斜視図である。
【図３】同回転振動発生器における回転振動とスプーンの掬い部における回転振動の関係を示す概略図である。
【符号の説明】
【００２１】
１０  スプーン
１２  湾曲状掬い部
１２ａ  周縁
１４  柄部
２０  円振動発生ユニット
２２  外囲器
２２ａ  装着穴
２４  扁平形（コイン形）振動モータ
２６  押しボタンスイッチ
２８  ボタン形電池
Ｂ１  真円振動
Ｂ２  円振動
ｂ２  楕円振動
Ｐ  周縁を含む面
Ｓ  塩粒
【図１】
2009213612.tif 000003
【図２】
2009213612.tif 000004
【図３】
2009213612.tif 000005